(57)【要約】  【課題】冷蔵庫において、貯蔵室庫内温度を検出するサーミスタの異常診断とダンパの異常や故障診断とを区別し使用者に報知することで、貯蔵室庫内温度異常の原因の判断時間短縮を図り、迅速な修理の対応ができるようにした自己診断システムを提供することを目的とする。  【解決手段】従来の冷蔵庫の自己診断システムに第１庫内温度記憶手段２３および第２庫内温度記憶手段２４および第１タイマ２５およびダンパ異常判定手段２６を備えたことにより、貯蔵室庫内温度を検出するサーミスタの異常診断とは別に、ダンパの異常や故障のみ単独での診断となるので、貯蔵室庫内温度を検出するサーミスタの異常診断とダンパの異常や故障診断とを区別した診断が可能となる。【選択図】図１
2006010203.tif 000002
【特許請求の範囲】
【請求項１】
外箱と内箱間に断熱材を充墳してなる断熱箱体の庫内を断熱仕切体により上下に区画して冷蔵室と、複数の貯蔵室とが設けられ、庫内背面に冷気を生成する冷却器と、生成した冷気を開閉により前記貯蔵室内へ送ったり止めたりするダンパと、前記貯蔵室内部に設けられた庫内温度検出手段と、前記断熱箱体外部に設けられた外気温度検出手段と、前記冷蔵室内部または外部に設けられた異常を表示する表示手段と、断熱箱体底部に配置された圧縮機とを備え、前記ダンパの開閉により温度制御される前記貯蔵室内において、前記庫内温度検出手段によって検出される初期温度と所定時間後の温度との温度差と、あらかじめ予測した初期温度と所定時間後の温度との温度差とを比較し、一致しなければダンパ異常と診断させる手段を備えたことを特徴とする冷蔵庫の自己診断システム。
【請求項２】
前記ダンパの開閉により温度制御される前記貯蔵室内において、前記庫内温度検出手段によって検出される初期温度と所定時間後の温度との温度差と、前記外気温度検出手段によって検出された外気温度により、外気温度別にあらかじめ予測した電源投入温度と所定時間後の温度の温度差とを比較し、一致しなければダンパ異常と診断させる手段を備えたことを特徴とする請求項１記載の冷蔵庫の自己診断システム。
【請求項３】
前記ダンパの開閉により温度制御される前記貯蔵室内において、前記庫内温度検出手段によって検出される初期温度と所定時間後の温度との温度差と、前記圧縮機の積算運転時間により、積算運転時間別にあらかじめ予測した電源投入温度と所定時間後の温度との温度差とを比較し、一致しなければダンパ異常と診断させる手段を備えたことを特徴とする請求項１記載の冷蔵庫の自己診断システム。
【請求項４】
前記ダンパの開閉により温度制御される前記貯蔵室内において、前記庫内温度検出手段によって検出される初期温度と所定時間後の温度との温度差と、前記ダンパの積算開時間により、積算開時間別にあらかじめ予測した電源投入温度と所定時間後の温度との温度差とを比較し、一致しなければダンパ異常と診断させる手段を備えたことを特徴とする請求項１記載の冷蔵庫の自己診断システム。
【請求項５】
前記ダンパの開閉により温度制御される前記貯蔵室内において、前記庫内温度検出手段によって検出される初期温度と所定時間後の温度との温度差と、あらかじめ予測した電源投入温度と所定時間後の温度との温度差とを比較し、一致しなければダンパ異常と診断し、前記表示手段で報知させる手段を備えたことを特徴とする請求項１記載の冷蔵庫の自己診断システム。
【発明の詳細な説明】
【技術分野】
【０００１】
本発明は冷蔵庫の自己診断システムの制御技術に係り、特に詳しくは、庫内温度を設定温度に維持するためのダンパの機構的な異常や故障の判定を自動的に行うようにした冷蔵庫の自己診断システムに関するものである。
【背景技術】
【０００２】
従来、この種の庫内温度を検出するサーミスタの異常による冷蔵庫の自己診断システムは開示されている（例えば、特許文献１参照）。
【０００３】
図１１は特許文献１に記載された従来の冷蔵庫の自己診断システムを示すものである。図１１に示すように、冷蔵庫本体１は外箱２、内箱３、及び前記外箱２と前記内箱３間に充填された断熱材４より構成されている。区画壁５により前記冷蔵庫本体１の内部を上下に区画し、最上部に冷蔵室６、中央部に複数の貯蔵室７を区画形成している。冷却器８は前記冷蔵室６の背面に備え、冷凍サイクルの一部を形成している。第１庫内温度検出手段９は前記冷蔵室６内に設置された第１庫内温度検出用サーミスタ１０より庫内温度を検出する手段であり、第１庫内温度判定手段１１は前記庫内温度検出手段９の検出した温度が設定温度以上であるかを判定する手段である。第２庫内温度検出手段１２は前記貯蔵室７に設置された第２庫内温度検出用サーミスタ１３より庫内温度を検出する手段であり、第２庫内温度判定手段１４は前記庫内温度検出手段１２の検出した温度が設定温度以上であるか判定する手段である。ダンパ駆動手段１５は前記冷却器８で生成した冷気を貯蔵室７へ送ったり止めたりするためダンパ１６を開閉動作させる手段である。圧縮機駆動手段１７は冷凍サイクルの圧縮機１８を動作させる手段である。庫内温度異常判定手段１９は前記第２庫内温度検出用サーミスタ１３の異常や故障（短絡、断線）の判定を行う手段で、表示手段２０は前記庫内温度異常判定手段１９により庫内温度が異常や故障（短絡、断線）だと判断したとき前記冷蔵室６内部または外部に接続された表示装置２１へ表示させる手段である。また、前記外箱２に設置された庫外温度検出用サーミスタ２２は外気温度を検出するためのサーミスタである。
【０００４】
以上のように構成された冷蔵庫における動作について、図１２のフローチャートを参照しながら以下その動作を説明する。
【０００５】
最初にステップ１で第１庫内温度検出手段９が冷蔵室内６に設置された第１庫内温度検出用サーミスタ１０より冷蔵室庫内温度を検出する。次に、ステップ２で第１庫内温度判定手段１１は庫内温度検出手段９が検出した温度が設定温度より高いかまたは低いかを判断し、高ければステップ３で圧縮機駆動手段１７が圧縮機１８を動作させステップ５へ進む。しかし、ステップ２で庫内温度が低いと判断すればステップ４に進み圧縮機駆動手段１７で圧縮機１８を停止させステップ５へ進む。
【０００６】
次にステップ５で前記第２庫内温度検出手段１２により貯蔵室庫内温度を検出する。次に、ステップ６で庫内温度異常判定手段１９が前記第２庫内温度検出用サーミスタ１３の異常や故障（短絡、断線）の有無を判断し、異常や故障（短絡、断線）無しと判断すればステップ７へ進み表示手段２０が表示装置２１に異常や故障（短絡、断線）表示消去を行いステップ９へ進む。しかし、ステップ６で異常や故障（短絡、断線）有りと判断すればステップ８へ進み表示手段２０が表示装置２１に異常や故障（短絡、断線）表示させステップ１へ戻る。ステップ９では第２庫内温度判定手段１４は第２庫内温度検出手段１２が検出した温度が設定温度より高いかまたは低いかを判断し、高ければステップ１０でダンパ駆動手段１５がダンパ１６を開に動作させステップ１に戻る。しかし、ステップ９で庫内温度が低いと判断すればステップ１１に進みダンパ駆動手段１５でダンパ１６を閉に動作させステップ１に戻る。このサイクルを繰り返し貯蔵室７の庫内温度制御および自己診断を行っている。
【特許文献１】特開平１１−２０１６０７号公報
【発明の開示】
【発明が解決しようとする課題】
【０００７】
しかしながら、上記従来の構成では、貯蔵室庫内温度を検出するサーミスタの故障（短絡、断線）における自己診断の場合は問題ないが、貯蔵室庫内温度異常の場合、貯蔵室庫内温度を検出するサーミスタが原因、もしくはダンパの異常や故障が原因のいずれの貯蔵室庫内温度異常も同様に判断してしまうことになり、修理時に適切な処置を行うためには直接見て判断を行い、貯蔵室庫内温度を検出するサーミスタもしくはダンパの交換を行わなければならないという課題を有していた。
【０００８】
本発明は、上記従来の課題を解決するもので、貯蔵室庫内温度を検出するサーミスタの異常診断とダンパの異常や故障診断とを区別し使用者に報知することで、貯蔵室庫内温度異常の原因の判断時間短縮を図り、迅速な修理の対応ができるようにした冷蔵庫の自己診断システムを提供することを目的とする。
【課題を解決するための手段】
【０００９】
上記従来の課題を解決するために、本発明の冷蔵庫の自己診断システムは、外箱と内箱間に断熱材を充墳してなる断熱箱体の庫内を断熱仕切体により上下に区画して冷蔵室と、複数の貯蔵室とが設けられ、庫内背面に冷気を生成する冷却器と、生成した冷気を開閉により前記貯蔵室内へ送ったり止めたりするダンパと、前記貯蔵室内部に設けられた庫内温度検出手段と、前記断熱箱体外部に設けられた外気温度検出手段と、前記冷蔵室内部または外部に設けられた異常を表示する表示手段と、断熱箱体底部に配置された圧縮機とを備え、前記ダンパの開閉により温度制御される前記貯蔵室内において、前記庫内温度検出手段によって検出される初期温度と所定時間後の温度との温度差と、あらかじめ予測した電源投入温度と所定時間後温度の温度差とを比較し、一致しなければダンパ異常と診断させる手段を備えたことを特徴としたものである。
【００１０】
また、前記ダンパの開閉により温度制御される前記貯蔵室内において、前記庫内温度検出手段によって検出される初期温度と所定時間後温度の温度差と、前記外気温度検出手段によって検出された外気温度により、外気温度別にあらかじめ予測した電源投入温度と所定時間後の温度との温度差を比較し、一致しなければダンパ異常と診断させる手段を備えたことを特徴としたものである。
【００１１】
また、前記ダンパの開閉により温度制御される前記貯蔵室内において、前記庫内温度検出手段によって検出される初期温度と所定時間後の温度との温度差と、前記圧縮機の積算運転時間により、積算運転時間別にあらかじめ予測した電源投入温度と所定時間後の温度との温度差とを比較し、一致しなければダンパ異常と診断させる手段を備えたことを特徴としたものである。
【００１２】
また、前記ダンパの開閉により温度制御される前記貯蔵室内において、前記庫内温度検出手段によって検出される初期温度と所定時間後の温度との温度差と、前記ダンパの積算開時間により、積算開時間別にあらかじめ予測した電源投入温度と所定時間後の温度との温度差を比較し、一致しなければダンパ異常と診断させる手段を備えたことを特徴としたものである。
【００１３】
これによって、貯蔵室庫内温度を検出するサーミスタの異常診断とは別に、ダンパの異常や故障のみ単独での診断となる。
【００１４】
また、前記ダンパの開閉により温度制御される前記貯蔵室内において、前記庫内温度検出手段によって検出される初期温度と所定時間後の温度との温度差と、予測した電源投入温度と所定時間後の温度との温度差とを比較し、一致しなければダンパ異常と診断し、前記表示手段で報知させる手段を備えたことを特徴としたものである。
【００１５】
これによって、貯蔵室庫内温度を検出するサーミスタの異常診断とは別に、ダンパの異常や故障のみ単独で診断した表示となる。
【発明の効果】
【００１６】
本発明の冷蔵庫の自己診断システムは、貯蔵室庫内温度を検出するサーミスタの異常診断とダンパの異常や故障診断とを区別して診断することができる。
【００１７】
また、本発明の冷蔵庫の自己診断システムは、貯蔵室庫内温度を検出するサーミスタの異常診断とダンパの異常や故障診断とを区別したものを使用者に報知することができる。
【発明を実施するための最良の形態】
【００１８】
請求項１に記載の発明は、外箱と内箱間に断熱材を充墳してなる断熱箱体の庫内を断熱仕切体により上下に区画して冷蔵室と、複数の貯蔵室とが設けられ、庫内背面に冷気を生成する冷却器と、生成した冷気を開閉により前記貯蔵室内へ送ったり止めたりするダンパと、前記貯蔵室内部に設けられた庫内温度検出手段と、前記断熱箱体外部に設けられた外気温度検出手段と、前記冷蔵室内部または外部に設けられた異常を表示する表示手段と、断熱箱体底部に配置された圧縮機とを備え、前記ダンパの開閉により温度制御される前記貯蔵室内において、前記庫内温度検出手段によって検出される初期温度と所定時間後の温度との温度差と、あらかじめ予測した初期温度と所定時間後の温度との温度差とを比較し、一致しなければダンパ異常と診断させる手段を備えたことにより、貯蔵室庫内温度を検出するサーミスタの異常診断とは別に、ダンパの異常や故障のみ単独での診断となり、貯蔵室庫内温度を検出するサーミスタの異常診断とダンパの異常や故障診断とを区別して診断することができる。
【００１９】
請求項２に記載の発明は、請求項１に記載の発明において、前記ダンパの開閉により温度制御される前記貯蔵室内において、前記庫内温度検出手段によって検出される初期温度と所定時間後の温度との温度差と、前記外気温度検出手段によって検出された外気温度により、外気温度別にあらかじめ予測した電源投入温度と所定時間後の温度の温度差とを比較し、一致しなければダンパ異常と診断させる手段を備えたことにより、貯蔵室庫内温度を検出するサーミスタの異常診断とは別に、ダンパの異常や故障のみ単独での診断となり、貯蔵室庫内温度を検出するサーミスタの異常診断とダンパの異常や故障診断とを区別して診断することができる。
【００２０】
請求項３に記載の発明は、請求項１に記載の発明において、前記ダンパの開閉により温度制御される前記貯蔵室内において、前記庫内温度検出手段によって検出される初期温度と所定時間後の温度との温度差と、前記圧縮機の積算運転時間により、積算運転時間別にあらかじめ予測した電源投入温度と所定時間後の温度との温度差とを比較し、一致しなければダンパ異常と診断させる手段を備えたことにより、貯蔵室庫内温度を検出するサーミスタの異常診断とは別に、ダンパの異常や故障のみ単独での診断となり、貯蔵室庫内温度を検出するサーミスタの異常診断とダンパの異常や故障診断とを区別して診断することができる。
【００２１】
請求項４に記載の発明は、請求項１に記載の発明において、前記ダンパの開閉により温度制御される前記貯蔵室内において、前記庫内温度検出手段によって検出される初期温度と所定時間後の温度との温度差と、前記ダンパの積算開時間により、積算開時間別にあらかじめ予測した電源投入温度と所定時間後の温度との温度差とを比較し、一致しなければダンパ異常と診断させる手段を備えたことにより、貯蔵室庫内温度を検出するサーミスタの異常診断とは別に、ダンパの異常や故障のみ単独での診断となり、貯蔵室庫内温度を検出するサーミスタの異常診断とダンパの異常や故障診断とを区別して診断することができる。
【００２２】
請求項５に記載の発明は、請求項１に記載の発明において、前記ダンパの開閉により温度制御される前記貯蔵室内において、前記庫内温度検出手段によって検出される初期温度と所定時間後の温度との温度差と、あらかじめ予測した電源投入温度と所定時間後の温度との温度差とを比較し、一致しなければダンパ異常と診断し、前記表示手段で報知させる手段を備えたことにより、貯蔵室庫内温度を検出するサーミスタの異常診断とは別に、ダンパの異常や故障のみ単独での診断した表示となり、貯蔵室庫内温度を検出するサーミスタの異常診断とダンパの異常や故障診断とを区別したものを使用者に報知することができる。
【００２３】
以下、本発明の実施の形態について、図面を参照しながら説明するが、従来例または先に説明した実施の形態と同一構成について同一符号を付して、その詳細な説明は省略する。なお、この実施の形態によってこの発明が限定されるものではない。
【００２４】
（実施の形態１）
図１は、本発明の実施の形態１における冷蔵庫の自己診断システムのブロック図である。図２は、同実施の形態の動作を示すフローチャートである。
【００２５】
図１において、第１庫内温度記憶手段２３は電源投入時に第２庫内温度検出手段１２によって検出された貯蔵室温度（ｔ１℃）を記憶させる手段であり、第２庫内温度記憶手段２４は第１タイマ２５によってカウントされた所定時間（Ｔ分）後の第２庫内温度検出手段１２によって検出された貯蔵室温度（ｔ２℃）を記憶させる手段であり、ダンパ異常判定手段２６はダンパが正常か異常かを区別する判定手段である。
【００２６】
以上のように構成された冷蔵庫の自己診断システムについて、以下その動作、作用を図２の同実施の形態を示すフローチャートをもとにして説明する。
【００２７】
まず、ステップ１からステップ５は従来通りである。ステップ６で庫内温度異常判定手段１９が第２庫内温度検出用サーミスタ１３の異常や故障（短絡、断線）の有無を判断し、異常や故障（短絡、断線）無しと判断すればステップ１０１へ進み表示手段２０が表示装置２１に第２庫内温度検出用サーミスタ１３の異常や故障（短絡、断線）表示消去を行いステップ１０３へ進む。しかし、ステップ６で異常や故障（短絡、断線）有りと判断すればステップ１０２へ進み表示手段２０が表示装置２１に第２庫内温度検出用サーミスタ１３の異常や故障（短絡、断線）表示をさせステップ１へ戻る。ステップ１０３では、電源投入時か判断し、電源投入時であればステップ１０４へ進み、電源投入時でなければステップ１０６へ進む。ステップ１０４では、第１庫内温度記憶手段２３により第２庫内温度検出手段１２によって検出された貯蔵室温度（ｔ１℃）を記憶させステップ１０５へ進む。ステップ１０６では、第１タイマ２５のカウントをスタートさせステップ１０７へ進む。ステップ１０７では、第１タイマ２５のカウントが所定時間（Ｔ分）経過するまでステップ１０５へ進み、所定時間（Ｔ分）経過するとステップ１０８へ進む。ステップ１０８では、第２庫内温度記憶手段２４により第２庫内温度検出手段１２によって検出された貯蔵室温度（ｔ２℃）を記憶させステップ１０９へ進む。ステップ１０９では、電源投入時の貯蔵室温度（ｔ１℃）と所定時間（Ｔ分）経過後の貯蔵室温度（ｔ２℃）との温度差が、あらかじめ予測していた温度差（Ｔ１℃）に対し誤差±α℃（αは任意の整数）で一致していればステップ１０５へ進み、一致していなければステップ１１０へ進む。
【００２８】
ステップ１１０では、ダンパ異常判定手段２６をダンパ異常有りと判定させダンパ駆動手段１５によりダンパ１６を駆動させることなくステップ１へ戻る。ステップ１０５では、ダンパ異常判定手段２６をダンパ異常無しと判定させステップ９へ進む。ステップ９以降は従来通りである。
【００２９】
以上のように、本実施の形態においては、従来の冷蔵庫の自己診断システムに第１庫内温度記憶手段２３および第２庫内温度記憶手段２４および第１タイマ２５およびダンパ異常判定手段２６を備えたことにより、貯蔵室庫内温度を検出するサーミスタの異常診断とは別に、ダンパの異常や故障のみ単独での診断となり、貯蔵室庫内温度を検出するサーミスタの異常診断とダンパの異常や故障診断とを区別して診断することができる。
【００３０】
（実施の形態２）
図３は、本発明の実施の形態２における冷蔵庫の自己診断システムのブロック図である。図４は、同実施の形態の動作を示すフローチャートである。
【００３１】
図３において、庫外温度検出手段２７は庫内温度検出用サーミスタ２２より庫外温度を検出する手段である。庫外温度判定手段２８は庫外温度検出手段２７によって検出された外気温度が高外気であるか低外気であるか判断する手段である。本実施の形態は実施の形態１による冷蔵庫の自己診断システムに庫外温度検出手段２７および庫外温度判定手段２８を設けたものである。
【００３２】
以上のように構成された冷蔵庫の自己診断システムについて、以下その動作、作用を図４の同実施の形態を示すフローチャートをもとにして説明する。
【００３３】
まず、ステップ１からステップ１０７は実施の形態１の通りである。ステップ１０８では、第２庫内温度記憶手段２４により第２庫内温度検出手段１２によって検出された貯蔵室温度（ｔ２℃）を記憶させステップ２０１へ進む。ステップ２０１では、庫外温度検出手段２７により外箱２に設置された庫外温度検出用サーミスタ２２により外気温度を検出しステップ２０２へ進む。ステップ２０２では、庫外温度判定手段２８により庫外温度検出手段２７によって検出された外気温度が高外気であるか低外気であるか判断し、高外気であればステップ２０３へ進み、低外気であればステップ２０４へ進む。ステップ２０３では、電源投入時の貯蔵室温度（ｔ１℃）と所定時間（Ｔ分）経過後の貯蔵室温度（ｔ２℃）との温度差が、あらかじめ予測していた高外気時の温度差（Ｔ２℃）に対し誤差±α℃（αは任意の整数）で一致していればステップ１０５へ進み、一致していなければステップ１１０へ進む。ステップ２０４では、電源投入時の貯蔵室温度（ｔ１℃）と所定時間（Ｔ分）経過後の貯蔵室温度（ｔ２℃）との温度差が、あらかじめ予測していた低外気時の温度差（Ｔ３℃）に対し誤差±α℃（αは任意の整数）で一致していればステップ１０５へ進み、一致していなければステップ１１０へ進む。ステップ１１０以降は実施の形態１通りである。
【００３４】
以上のように、本実施の形態においては、実施の形態１の冷蔵庫自己診断システムに庫外温度検出手段２７および庫外温度判定手段２８をさらに備えたことにより、貯蔵室庫内温度を検出するサーミスタの異常診断とは別に、ダンパの異常や故障のみ単独での診断する上で、特に、外気温度の違いによる貯蔵室の冷却速度も考慮することにより、貯蔵室庫内温度を検出するサーミスタの異常診断とダンパの異常や故障診断とをより正確に区別して診断することができる。
【００３５】
（実施の形態３）
図５は、本発明の実施の形態３における冷蔵庫の自己診断システムのブロック図である。図６は、同実施の形態の動作を示すフローチャートである。
【００３６】
図５において、圧縮機駆動時間カウント手段２９は第２タイマ３０によってカウントされる圧縮機の積算運転時間をカウントする手段である。圧縮機駆動時間判定手段３１は圧縮機駆動時間カウント手段２９によってカウントされた時間があらかじめ設定した基準時間（Ｔｉ１分）より長いか短いかを判断する手段である。本実施の形態は実施の形態１による冷蔵庫の自己診断システムに圧縮機駆動時間カウント手段２９および第２タイマ３０および圧縮機駆動時間判定手段３１を設けたものである。
【００３７】
以上のように構成された冷蔵庫の自己診断システムについて、以下その動作、作用を図６の同実施の形態を示すフローチャートをもとにして説明する。
【００３８】
まず、ステップ１からステップ２は実施の形態１の通りである。ステップ２で第１庫内温度判定手段１１は庫内温度検出手段９が検出した温度が設定温度より高いかまたは低いかを判断し、高ければステップ３で圧縮機駆動手段１７が圧縮機１８を動作させステップ３０１へ進む。しかし、ステップ２で庫内温度が低いと判断すればステップ４に進み圧縮機駆動手段１７で圧縮機１８を停止させステップ３０３へ進む。ステップ３０１では、第２タイマ３０のカウントをスタートさせステップ３０２へ進む。ステップ３０２では、圧縮機駆動時間カウント手段２９により第２タイマ３０のカウントした時間を積算しステップ５へ進む。ステップ３０３では、第２タイマ３０のカウントをストップさせステップ５へ進む。ステップ５からステップ１０７は実施の形態１通りである。ステップ１０８では、第２庫内温度記憶手段２４により第２庫内温度検出手段１２によって検出された貯蔵室温度（ｔ２℃）を記憶させステップ３０４へ進む。ステップ３０４では圧縮機駆動時間判定手段３１により圧縮機駆動時間カウント手段２９がカウントした積算時間があらかじめ設定した基準時間（Ｔｉ１分）より長いか短いかを判断し、長ければステップ３０５へ進み、基準時間（Ｔｉ１分）以下であればステップ３０６へ進む。ステップ３０５では、電源投入時の貯蔵室温度（ｔ１℃）と所定時間（Ｔ分）経過後の貯蔵室温度（ｔ２℃）との温度差が、圧縮機の運転積算時間が基準時間（Ｔｉ１分）より長い場合のあらかじめ予測していた温度差（Ｔ４℃）に対し誤差±α℃（αは任意の整数）で一致していればステップ１０５へ進み、一致していなければステップ１１０へ進む。ステップ３０６では、電源投入時の貯蔵室温度（ｔ１℃）と所定時間（Ｔ分）経過後の貯蔵室温度（ｔ２℃）との温度差が、圧縮機の運転積算時間が基準時間（Ｔｉ１分）以下の場合のあらかじめ予測していた温度差（Ｔ５℃）に対し誤差±α℃（αは任意の整数）で一致していればステップ１０５へ進み、一致していなければステップ１１０へ進む。ステップ１１０以降は実施の形態１通りである。
【００３９】
以上のように、本実施の形態においては、実施の形態１の冷蔵庫自己診断システムに圧縮機駆動時間カウント手段２９および第２タイマ３０および圧縮機駆動時間判定手段３１をさらに備えたことにより、貯蔵室庫内温度を検出するサーミスタの異常診断とは別に、ダンパの異常や故障のみ単独での診断する上で、特に、圧縮機運転時間の違いによる貯蔵室の冷却速度も考慮することにより、貯蔵室庫内温度を検出するサーミスタの異常診断とダンパの異常や故障診断とをより正確に区別して診断することができる。
【００４０】
（実施の形態４）
図７は、本発明の実施の形態４における冷蔵庫の自己診断システムのブロック図である。図８は、同実施の形態の動作を示すフローチャートである。
【００４１】
図７において、ダンパ開時間カウント手段３２は第３タイマ３３によってカウントされるダンパ開状態の積算開状態時間をカウントする手段である。ダンパ開時間判定手段３４はダンパ開時間カウント手段３２によってカウントされた時間があらかじめ設定した基準時間（Ｔｉ２分）より長いか短いかを判断する手段である。本実施の形態は実施の形態１による冷蔵庫の自己診断システムにダンパ開時間カウント手段３２および第３タイマ３３およびダンパ開時間判定手段３４を設けたものである。
【００４２】
以上のように構成された冷蔵庫の自己診断システムについて、以下その動作、作用を図８の同実施の形態を示すフローチャートをもとにして説明する。
【００４３】
まず、ステップ１からステップ１０７は実施の形態１の通りである。ステップ１０８では、第２庫内温度記憶手段２４により第２庫内温度検出手段１２によって検出された貯蔵室温度（ｔ２℃）を記憶させステップ４０１へ進む。ステップ４０１ではダンパ開時間判定手段３４によりダンパ開時間カウント手段３２がカウントした積算時間があらかじめ設定した基準時間（Ｔｉ２分）より長いか短いかを判断し、長ければステップ４０２へ進み、基準時間（Ｔｉ２分）以下であればステップ４０３へ進む。ステップ４０２では、電源投入時の貯蔵室温度（ｔ１℃）と所定時間（Ｔ分）経過後の貯蔵室温度（ｔ２℃）との温度差が、ダンパ開状態積算時間が基準時間（Ｔｉ２分）より長い場合のあらかじめ予測していた温度差（Ｔ６℃）に対し誤差±α℃（αは任意の整数）で一致していればステップ１０５へ進み、一致していなければステップ１１０へ進む。ステップ４０３では、電源投入時の貯蔵室温度（ｔ１℃）と所定時間（Ｔ分）経過後の貯蔵室温度（ｔ２℃）との温度差が、ダンパ開状態積算時間が基準時間（Ｔｉ２分）以下の場合のあらかじめ予測していた温度差（Ｔ７℃）に対し誤差±α℃（αは任意の整数）で一致していればステップ１０５へ進み、一致していなければステップ１１０へ進む。ステップ１１０では、ダンパ異常判定手段２６をダンパ異常有りと判定させダンパ駆動手段１５によりダンパ１６を駆動させることなくステップ１へ戻る。ステップ１０５では、ダンパ異常判定手段２６をダンパ異常無しと判定させステップ９へ進む。ステップ９では第２庫内温度判定手段１４は第２庫内温度検出手段１２が検出した温度が設定温度より高いかまたは低いかを判断し、高ければステップ１０でダンパ駆動手段１５がダンパ１６を開に動作させステップ４０４へ進む。しかし、ステップ９で庫内温度が低いと判断すればステップ１１に進みダンパ駆動手段１５でダンパ１６を閉に動作させステップ４０６へ進む。ステップ４０４では、第３タイマ３３のカウントをスタートさせステップ４０５へ進む。ステップ４０５では、ダンパ開時間カウント手段３２により第３タイマ３３のカウントした時間を積算しステップ１へ戻る。ステップ４０６では、第３タイマ３３のカウントをストップさせステップ１へ戻る。
【００４４】
以上のように、本実施の形態においては、実施の形態１の冷蔵庫自己診断システムにダンパ開時間カウント手段３２および第３タイマ３３およびダンパ開時間判定手段３４をさらに備えたことにより、貯蔵室庫内温度を検出するサーミスタの異常診断とは別に、ダンパの異常や故障のみ単独での診断する上で、特に、ダンパの開状態時間の違いによる貯蔵室の冷却速度も考慮することにより、貯蔵室庫内温度を検出するサーミスタの異常診断とダンパの異常や故障診断とをより正確に区別して診断することができる。
【００４５】
（実施の形態５）
図９は、本発明の実施の形態５における冷蔵庫の自己診断システムのブロック図である。図１０は、同実施の形態の動作を示すフローチャートである。
【００４６】
図９において、異常表示判定手段３５はダンパ異常判定手段２６の異常判定の有無により表示手段２０のダンパ異常表示を行うか、表示を行わないか判定する手段である。
【００４７】
本実施の形態は実施の形態１による冷蔵庫の自己診断システムに異常表示判定手段３５を設けたものである。
【００４８】
以上のように構成された冷蔵庫の自己診断システムについて、以下その動作、作用を図１０の同実施の形態を示すフローチャートをもとにして説明する。
【００４９】
まず、ステップ１からステップ１０９は実施の形態１の通りである。ステップ１１０では、ダンパ異常判定手段２６をダンパ異常有りと判定させダンパ駆動手段１５によりダンパ１６を駆動させることなくステップ５０２へ進む。ステップ５０２では、異常表示判定手段３５によりダンパの異常表示を表示手段２０に表示させステップ１へ戻る。ステップ１０５では、ダンパ異常判定手段２６をダンパ異常無しと判定させステップ５０１へ進む。ステップ５０１では、異常表示判定手段３５によりダンパの異常表示を表示手段２０に消去させステップ９へ進む。ステップ９以降は実施の形態１通りである。
【００５０】
以上のように、本実施の形態においては、実施の形態１の冷蔵庫自己診断システムにおいて異常表示判定手段３５をさらに備えたことにより、貯蔵室庫内温度を検出するサーミスタの異常診断とは別に、ダンパの異常や故障のみ単独で診断した表示となることにより、貯蔵室庫内温度を検出するサーミスタの異常診断とダンパの異常や故障診断とを区別したものを使用者に報知することができる。
【産業上の利用可能性】
【００５１】
以上のように、本発明にかかる冷蔵庫自己診断システムは、貯蔵室庫内温度を検出するサーミスタの異常診断とダンパの異常や故障診断とを区別して診断することができ、さらに、貯蔵室庫内温度を検出するサーミスタの異常診断とダンパの異常や故障診断とを区別したものを使用者に報知することが可能となるので、業務用冷蔵庫、自動販売機、エアコンなどのダンパや切替弁などの故障信号を持たない開閉システム部品を備えた冷却機器等の用途にも利用できる。
【図面の簡単な説明】
【００５２】
【図１】本発明の実施の形態１における冷蔵庫の自己診断システムのブロック図
【図２】同実施の形態の動作を示すフローチャート
【図３】本発明の実施の形態２における冷蔵庫の自己診断システムのブロック図
【図４】同実施の形態の動作を示すフローチャート
【図５】本発明の実施の形態３における冷蔵庫の自己診断システムのブロック図
【図６】同実施の形態の動作を示すフローチャート
【図７】本発明の実施の形態４における冷蔵庫の自己診断システムのブロック図
【図８】同実施の形態の動作を示すフローチャート
【図９】本発明の実施の形態５における冷蔵庫の自己診断システムのブロック図
【図１０】同実施の形態の動作を示すフローチャート
【図１１】従来の冷蔵庫の自己診断システムのブロック図
【図１２】従来の冷蔵庫の自己診断システムの動作を示すフローチャート
【符号の説明】
【００５３】
１    冷蔵庫本体
２    外箱
３    内箱
４    断熱材
５    区画壁
６    冷蔵室
７    貯蔵室
８    冷却器
９    第１庫内温度検出手段
１０  第１庫内温度検出用サーミスタ
１１  第１庫内温度判定手段
１２  第２庫内温度検出手段
１３  第２庫内温度検出用サーミスタ
１４  第２庫内温度判定手段
１５  ダンパ駆動手段
１６  ダンパ
１７  圧縮機駆動手段
１８  圧縮機
１９  庫内温度異常判定手段
２０  表示手段
２１  表示装置
２２  庫外温度検出用サーミスタ
２３  第１庫内温度記憶手段
２４  第２庫内温度記憶手段
２５  第１タイマ
２６  ダンパ異常判定手段
２７  庫外温度検出手段
２８  庫外温度判定手段
２９  圧縮機駆動時間カウント手段
３０  第２タイマ
３１  圧縮機駆動時間判定手段
３２  ダンパ開時間カウント手段
３３  第３タイマ
３４  ダンパ開時間判定手段
３５  異常表示判定手段
【図１】
2006010203.tif 000003
【図２】
2006010203.tif 000004
【図３】
2006010203.tif 000005
【図４】
2006010203.tif 000006
【図５】
2006010203.tif 000007
【図６】
2006010203.tif 000008
【図７】
2006010203.tif 000009
【図８】
2006010203.tif 000010
【図９】
2006010203.tif 000011
【図１０】
2006010203.tif 000012
【図１１】
2006010203.tif 000013
【図１２】
2006010203.tif 000014